(57)【特許請求の範囲】
【請求項１】
各々に第１端子（４，６，８）及び第２端子（５，７，９）を設けた半導体部品（１，２，３）と、前記部品（１，２，３）を固定した支持部材（１０）とを具えた電気回路用保安ユニットにおいて、
前記支持部材（１０）が接触ピン（１１，１２，１３）を有して、前記部品（１，２，３）が前記第１端子（４，６，８）を介して前記接触ピン（１１，１２，１３）のうちの１つと電気的に接触して、前記保安ユニットが、相互接続素子を設けた差込みモジュール（１４）を具えて、前記相互接続素子が、前記支持部材内の各開口を通って、前記端子間の所望の相互接続を確立することを特徴とする電気回路用保安ユニット。
【請求項２】
請求項１に記載の三相電気回路用の保安ユニットにおいて、前記差込みモジュール（１４）が、前記モジュールが前記支持部材（１０）に差込まれた場合に、前記部品の前記第２端子（５，７，９）の間の電気的相互接続を達成する、３本の電気的接続ピン（２１，２２，２３）を有することを特徴とする三相電気回路用の保安ユニット。
【請求項３】
請求項１に記載の三相電気回路用の保安ユニットにおいて、前記差込みモジュール（１４）が、前記モジュールが前記支持部材（１０）に差込まれた場合に、所望の前記部品の前記第１端子（４，６，８の何れか）と他の所望の前記部品の前記第２端子（７，９，５の何れか）との間の電気的相互接続を達成する、６本の電気的接続ピン（２４，２５，２６，２７，２８，２９）を有することを特徴とする三相電気回路用の保安ユニット。
【請求項４】
請求項１に記載の三相電気回路用の保安ユニットにおいて、前記差込みモジュール（１４）が、３本の電気的接続ピン（３１，３２，３３）を持つ第１差込み部分を有し、前記支持部材（１０）に当該モジュールの前記第１差込み部分が差込まれた場合、前記部品の前記第２端子（５，７，９）が電気的に相互接続され、
前記差込みモジュールが、６本の電気的接続ピン（３４，３５，３６，３７，３８，３９）を持つ第２差込み部分を有し、前記支持部材（１０）に当該モジュールが差込まれた場合、所望の前記部品の前記第１端子（４，６，８の何れか）と他の２個の内の所望の前記部品の前記第２端子（７，９，５の何れか）とが電気的に相互接続されることを特徴とする三相電気回路用の保安ユニット。
【発明の詳細な説明】
【０００１】
【産業上の利用分野】
本発明は、それぞれに第１及び第２端子が設けられた３個の半導体部品を有する三相電気回路用の保安ユニットに関する。
【０００２】
【従来の技術】
上述の形式の保安ユニットは、家庭における給電線の保護のみならず、例えば電動モータまたは発電器における突然の電圧または電流変化に対して三相電気回路を保護するために使用される。上述の半導体部品としては、とりわけ、電話回線で使用される“ブレークオーバダイオード”（Ｂ．Ｏ．Ｄ：Ｂｒｅａｋ  Ｏｖｅｒ  Ｄｉｏｄｅ）と呼ばれるダイオードから成る半導体部品を使用できる。しかしながら、半導体部品としては、望ましくはＶＤＲ（電圧依存抵抗：Ｖｏｌｔａｇｅ  Ｄｅｐｅｎｄｅｎｔ  Ｒｅｇｉｓｔｏｒ）の形態の非線形抵抗が使用される。この場合、保安ユニットは、三相回路において電流変化の増大にともなう影響を補償するたに使用される。
【０００３】
前段で述べた形式の保安ユニットは、実質的に既知である。この保安ユニットは、個々の第２端子が半田付けにより電気的に相互接続されている３個のＶＤＲから成る組立部品である。この組立部品は、個々の第１端子を介して電気モータの電気回路に装着されかつ、電流供給線に半田付けされる。この例の場合、保安ユニットは、“星型配置”（Ｓｔａｒ  ｃｏｎｆｉｇｕｒａｔｉｏｎ）と呼ばれる配置を構成する。“デルタ配置”（Ｄｅｌｔａ  ｃｏｎｆｉｇｕｒａｔｉｏｎ）と呼ばれる形式の保安ユニットは、上述の異なる形態で３個の抵抗の異なる端子（合計で６個の端子）を接続することにより構築できる。
【０００４】
この既知の保安ユニットには、構造の強度が不十分であるという欠点がある。その上、既知のユニットは、電気的安全性が、より長く維持されることが望まれている。また事実上、デルタ配置で構築されたユニットは、まったくまたはほとんど星型配置に変換できず、その逆もまた不可能である。結果として、得られる保安ユニットが、前述の２つの配置の何れか一つに拘束されてしまう。同様に、前述の２つの異なる配置の構造のためには、実際には二つの異なる製造工程が要求されるという事態も障害として挙げることができる。
【０００５】
【発明の目的及び概要】
本発明は、上述の欠点及び障害を克服することを目的とする。
本発明はより明確には、電気的に安全でかつ、堅牢な保安ユニットを提供することを目的とする。
本発明はさらに、簡単な方法でデルタ配置と星型配置との間の配置変換ができる保安ユニットを提供することを目的とする。
【０００６】
上述及び他の本発明の目的は、差込みモジュールのみならず３本の接触ピンを持つ支持部材を有し、前述の部品が第１端子を介して支持部材に固定されかつ、第１端子を介して何れかの接触ピンに電気的に接続され、そして、各端子間の所望の電気的相互接続が支持部材の受入れ開口を介して、差込みモジュールによって達成可能であることを特徴とする前述の形式の保安ユニットにより実現される。
【０００７】
抵抗が固定されることによる支持部材の長所により、保安ユニットの堅牢性が、既知のユニットよりも良好である。端子が、原則として支持部材に覆われるという事態により、本発明のユニットの電気的安全性は、既知の保安ユニットよりも優れている。着脱可能な差込みモジュールを有する保安ユニットによると、ユニットが、星型配置またはデルタ配置で動作するか否かの判断が必要なくなる。なお、支持部材が、“プリント基板”（ＰＣＢ：Ｐｒｉｎｔｅｄ  Ｃｉｒｃｕｉｔ  Ｂｏａｒｄ）の一部分として選択可能であってもよいことに注意されたい。このようなプリント基板は、導体経路と、選択的にはさらなる電子部品とを有する。望ましくは、例えば合成樹脂のような絶縁材料のハウジングを形成する分割式の支持部材が使用される。
【０００８】
保安ユニットの望ましい実施例は、差込みモジュールが、当該モジュールが支持部材に装着された場合に、各部品の第２端子間の電気的接続を達成する３本の電気的接続ピンを有することを特徴とする。このようなモジュールを使用することにより、各部品が星型配置で接続された保安ユニットが得られる。
【０００９】
本発明による保安ユニットの他の望ましい実施例は、差込みモジュールが、当該モジュールが支持部材に装着された場合に、所望の部品の第１端子と他の所望の部品の第２端子との間の電気的接続を達成する６本の電気的接続ピンを有することを特徴とする。このようなモジュールを使用することにより、各部品がデルタ配置で接続された保安ユニットが得られる。
【００１０】
本発明による保安ユニットの上述の実施例は、特定の差込みモジュールを他の差込みモジュールに変更することで、簡単な方法でユニット内の配置を変更することが実現する。この操作は、ユニット使用者により実施可能である。選択した配置は、モジュール中に存在する接続ピンのそれぞれを、３個の部品の端子に半田付けすることにより恒久的に維持できることに注意されたい。
【００１１】
本発明の特に望ましい実施例は、差込みモジュールが、３本の電気的接続ピンを持つ第１差込み部分を有することにより、支持部材にモジュールの第１差込み部分を挿入した場合、各部品の第２端子が電気的に相互接続され、そして差込みモジュールが６本の電気的接続ピンを持つ第２差込み部分を有することにより、支持部材にモジュールの第２差込み部分を挿入した場合、所望の部品の第１端子と他の所望の部品の第２端子とが電気的に相互接続される。
【００１２】
本発明の後者の実施例によると、何れの相互接続の可能性もが、同一の差込みモジュールで実現される。ユニット使用者は、異なる方法でモジュールを支持部材に単に差込むことにより、デルタ配置から星型配置及びその逆に変換することができる。
【００１３】
【実施例】
図１は、本発明による保安ユニットの実施例の正面の概略図である。図１の保安ユニットは、電圧依存抵抗１，２，３の形態の３個の半導体部品を有する。これらの抵抗は、平坦な両端に電極層が設けられた焼結材料からなる円筒状抵抗本体を有する。各抵抗には、一方の電極層に接続された第１端子４，６，８と、他方の電極層に接続された第２端子５，７，９とが設けられている。電気的に絶縁するワニス層（ｌａｃｑｕｅｒ  ｌａｙｅｒ）は、抵抗本体、電極層、そして放射状に突出した端子の一部に設けられる。
【００１４】
３個の抵抗は、前述の端子により支持部材１０に固定されている。この支持部材は、絶縁材料、望ましくは合成樹脂で作られる。この実施例の場合、ポリブチレンテレフタル酸塩（ｐｏｌｙｂｕｔｙｌｅｎｅ  ｔｅｒｅｐｈｔａｌａｔｅ）が使用される。ポリアミド（Ｐｏｌｙａｍｉｄｅ）のような他の合成樹脂が、代替として使用されても良い。支持部材はさらに、３本の接触ピン１１，１２，１３を有する。これらのピンは、例えば締付けにより第１端子４，６，８に接触する。低抵抗が長く継続する接触を得るため、各接触ピンは、望ましくは各端子に半田付けされる。各第１端子に接続された３本の接触ピンは、保護されるべき電気モータの電気回路へのさらなる接続に供される。この事例の場合、支持部材は、３本の接触ピン４０，４１，４２をさらに有する。これらピンがＰＣＢに差込まれた場合、ユニット内の固着強度が上がる。しかしながら、この第２グループの３本の接触ピンの提供は、本発明によるユニットの動作の観点からは必須ではない。
【００１５】
本発明による保安ユニットは同様に、着脱可能な差込みモジュール１４を有する。このモジュールは、望ましくはポリブチレンテレフタル酸塩またはポリアミドのような合成樹脂の絶縁ホルダ４３から成る。このホルダには、多数の接続ピンが設けられる。このモジュールは、対をなして電気的に相互接続された６本の接続ピン２４，２５，２６，２７，２８，２９を持つ。明確化のため、ホルダは、ホルダに覆われた相互接続が認識可能なような手法で図示されている。差込みモジュールは、この接続ピンが前述の接触ピン及び端子に電気的に接触するように、支持部材の受入れ開口を介して当該支持部材に固定される。望まれるならば、接触ピン、端子、そして接続ピンは、半田付けによって恒久的に相互接続可能である。前述の素子間の耐久性のある結合は、半田付けにより得られる。
【００１６】
図２は、図１に示された保安ユニットの側面の概略図である。図１に示されたものに対応する部品には、同一の参照番号を付与した。この実施例では、リード線を持つ電圧依存抵抗ＶＤＲが使用される。しかしながら、他の例としては、リード線を持つ部品の代りにリード線の無い部品を使用することが可能である。規格化された部品は、通例、ＳＭＤ部品（ソニー社開発のダイオード：ＳＯＮＹ  Ｍａｇｎｅｔｏ  Ｄｉｏｄｅ）と呼ばれる。このようなＶＤＲまたはＳＭＤで構築されたダイオードは、望ましくは各々の接触面を介して支持部材の接触ピンに半田付けされる。
【００１７】
図３は本発明による保安ユニットで使用可能な３個の差込みモジュール１４を示す。明確化のため、図において、ホルダ内の電気的相互接続が認識できるように図示した。図３のＡに示されたモジュールは、図１を参照して説明されたモジュールと同一である。この差込みモジュールは、合成樹脂ハウジング４３および６本の接続ピン２４，２５，２６，２７，２８，２９を有する。ここでは、相互接続された接続ピンの対を有する特別に構築されたモジュールが使用される。この対は、ピン２４と２９、２５と２６、そして２７と２８である。このような差込みモジュールが保安ユニットの支持部材に差込まれると、前述の第１端子の各々が、簡単な方法で他の抵抗の第２端子に電気的に接続される。この接続は、デルタ配置の保安ユニットに対応する。
【００１８】
図３のＢに示された差込みモジュール１４は、互いに電気的に接触する３つの接続ピン２１，２２，２３を有する。この方法で構築されたモジュールが支持部材に差込まれた場合、前述の第２端子５，７，９を相互接続できる。この接続は、星型配置の保安ユニットに対応する。
【００１９】
図３のＣは、第１差込み部分４４及び第２差込み部分４５を有する差込みモジュール１４を示す。差込み部分４４は、６本の接続ピン３４，３５，３６，３７，３８，３９を有し、そして差込み部分４５は、３本の差込みピン３１，３２，３３を有する。このモジュールによる相互接続の構成は、基本的には図３のＡ及びＢに示されたモジュールの接続構成に基づく。このモジュールが使用されると、異なる差込み部分を支持部材にモジュールを差込むことにより、簡単な方法で上述の配置の何れかを他の配置に変換できる。
【００２０】
本発明による保安ユニットは、強度が高く及び電気的絶縁性が高いという利点を有する。付加えると、着脱可能な差込みモジュールの提供により、星型配置のデルタ配置への変換、そしてその逆の変換が簡単な方法で実現できる。
【図面の簡単な説明】
【図１】６本の電気接続ピンを持つ差込みモジュールを有する本発明による保安ユニットの実施例の正面の概略図である。
【図２】図１に示した保安ユニットの側面の概略図である。
【図３】本発明による保安ユニットにおいて使用する３つの差込みモジュールを示す図である。
【符号の説明】
１乃至３      電圧依存抵抗
４，６，８    第１端子
５，７，９    第２端子
１０          支持部材
１１乃至１３  接触ピン
１４          差込みモジュール
４０乃至４２  接触ピン
４３          絶縁ホルダ
２４乃至２９  接続ピン
【図１】
0003585961.tif 000002
【図２】
0003585961.tif 000003
【図３】
0003585961.tif 000004